(57)【要約】【課題】  保持解放動作において、短時間での急激な保持荷重除荷によって発生する、大きな解放衝撃を低減できる保持解放機構を得ることを目的とする。【解決手段】  本発明に係わる開放機構は、軸方向の荷重を支える保持ロッドを保持し、前記荷重方向に前記保持ロッドが移動したときに前記ロッドの保持を開放する係合保持部と、前記係合保持部に伝達される軸方向荷重を保持するボールネジ軸と、前記ボールネジ軸と嵌合し、前記ボールネジ軸に伝達されている軸方向荷重を回転方向の力に変換するボールネジナットと、を備え、前記ボールネジナットが回転したときに前記ボールネジ軸が荷重方向に移動することで前記係合保持部が分離して前記ロッドを開放するものである。【選択図】    図１
2006193019.tif 000002
【特許請求の範囲】
【請求項１】
軸方向の荷重を支える保持ロッドを保持し、前記荷重方向に前記保持ロッドが移動したときに前記ロッドの保持を開放する係合保持部と、
前記係合保持部に伝達される軸方向荷重を保持するボールネジ軸と、
前記ボールネジ軸と嵌合し、前記ボールネジ軸に伝達されている軸方向荷重を回転方向の力に変換するボールネジナットと、を備え、
前記ボールネジナットが回転したときに前記ボールネジ軸が荷重方向に移動することで前記係合保持部が分離して前記ロッドを開放する保持解放機構。
【請求項２】
被保持部を保持し、先端に係合部を備えた保持ロッドと、
前記係合部と係合し、前記保持ロッドが移動したときに前記ロッドの保持を開放する係合保持部と、
前記係合保持部に伝達される軸方向荷重を保持するボールネジ軸と、
前記ボールネジ軸と嵌合し、前記ボールネジ軸に伝達されている軸方向荷重を回転方向の力に変換するボールネジナットと、を備え、
前記ボールネジナットが回転したときに前記ボールネジ軸が荷重方向に移動することで前記係合保持部が分離して前記ロッドを開放する保持解放機構。
【請求項３】
前記ボールネジナットの回転方向の力を停止させるストッパと、
前記ボールネジナットの回転を拘束し外部からの指示に従い回転拘束を解除する解除機と、を備える請求項１に記載の保持解放機構。
【請求項４】
前記係合保持部を荷重方向に押し出すと共に、その係合の解放動作を付勢する解放付勢ばねを備える請求項１から請求項３のいずれかに記載の保持解放機構。
【請求項５】
前記ストッパに緩衝機能を備える請求項３または請求項４に記載の保持解放機構。
【請求項６】
前記ボールネジ軸と前記ボールネジナットとはネジ溝により嵌合しており、前記ネジ溝に塗布されているグリースの粘性により前記ボールネジナットの回転方向の動きを制御する請求項１から請求項５のいずれかに記載の保持解放機構。
【請求項７】
前記解除機は電磁石アクチュエータである請求項３から請求項６のいずれかに記載の保持解放機構。
【請求項８】
前記解除機は形状記憶合金アクチュエータである請求項３から請求項６のいずれかに記載の保持解放機構。
【請求項９】
前記解除機は火工品である請求項１から請求項６のいずれかに記載の保持解放機構。
【発明の詳細な説明】
【技術分野】
【０００１】
この発明は、低衝撃な保持解放機構に関するものである。
【背景技術】
【０００２】
宇宙用展開構造物の打ち上げ時の収納保持状態を、展開時に解放する保持解放機構の方式において、火工品を利用する技術が知られているが、その基本的な構造は次の二通りである。
【０００３】
一つの代表的構造は、被保持部を軸方向荷重により保持する保持ボルトと、保持ボルトの先端ネジ部を係合する分割ナットと、分割ナット外周を保持するケースと、分割ナットに分割力を作用させるセパレータと、セパレータおよびケースに動作ガス圧を導く導爆管と、外部からの電気信号により高圧の燃焼ガスを発生させる火工品と、から構成されるものである。また、中にはガス圧によりボルトに積極的に放出力を作用させるイジェクタピンを備えた構造のものもある。
【０００４】
もう一つの代表的構造は、被保持部を軸方向荷重により保持する保持ロッドと、保持ロッドを切断するカッターブレードおよびアンビルと、外部からの電気信号により高圧の燃焼ガスを発生させカッターブレードに保持ロッドの切断力を付与する火工品と、から構成されるものである。
【０００５】
その基本的な動作は次の通りである。まず外部からの電気信号入力により火工品の火薬を点火し、その化学変化により発生した高圧燃焼ガスがセパレータおよびケースもしくはカッターブレードを直接動作させる。
【０００６】
前者の方式では、セパレータ動作により分割ナットが分割され、分割ナットとネジとの係合が外れることにより保持ボルトの拘束が解除され、被保持部が解放される。
後者の方式では、カッターブレードが直接保持ロッドを切断することにより保持ロッドの拘束が解除され、被保持部が解放される。
【０００７】
前者の方式は、比較的保持荷重の高い保持解放機構に適用され、後者の方式は、部品点数を減らし中程度の保持荷重を必要とする保持解放機構に適用されている。
【０００８】
どちらの方式も、作動信頼性に優れ瞬時に非常に大きな動作力を発生する火工品を動作力発生源に用い、その動作力で直接保持ボルトや保持ロッドの拘束を解除して被保持部を解放することにより、少ない部品点数で動作信頼性の高い保持解放機構を実現するものである（例えば、特許文献１参照）。
【０００９】
【特許文献１】特開平５−２１３２９１（図６）
【発明の開示】
【発明が解決しようとする課題】
【００１０】
従来の保持解放機構は以上のように構成されているので、その動作信頼性には優れるが,瞬時に非常に大きな動作力を発生する火工品自身からの発生衝撃に加え、保持ボルトや保持ロッドの拘束解除時の軸方向荷重の急激な変化に起因する発生衝撃が大きく、保持解放機構の近くに衝撃に弱い電子機器等を配置できないという課題があった。
【００１１】
いずれも、極めて短時間での大きな荷重変動を伴う大きなエネルギー（前者は火工品の化学変化によるエネルギーであり、後者は保持解放機構全体に蓄えられた歪エネルギー）の放出がその原因であり、比較的保持荷重の高い保持解放機構においては、前者による発生衝撃よりも後者による発生衝撃のほうが機構全体の発生衝撃に占める比率が大きく問題であった。
【００１２】
すなわち、火工品からの高エネルギーの高圧燃焼ガスによる動作力を直接受けることにより、保持状態で保持ボルトや保持ロッドで支持している大きな軸方向荷重（数1,000Nから数10,000N程度）が極めて短時間（0.2ms程度）の間にゼロに変化すると共に歪エネルギーを放出するため、この急激な荷重変化が最大値の大きな短時間のインパルス加速度として保持解放機構全体に作用し、高周波領域の卓越した極めて大きな衝撃加速度（数100ｇから1,000ｇ程度）が発生するためである。
【００１３】
この発明は上記のような課題を解決するためになされたもので、解放時に保持ロッドの支持する軸方向荷重の変化を緩やかに（歪エネルギーの解放を緩やかに）することにより解放動作時の発生衝撃を低く抑えると共に、発生衝撃のいっそうの低減のために火工品以外の小さな動作力による手段でも解放動作が可能となるようにし、機構内部の摩擦損失を極力低減することにより高い動作信頼性を維持した保持解放機構を得ることを目的とする。
【課題を解決するための手段】
【００１４】
本発明に係わる開放機構は、軸方向の荷重を支える保持ロッドを保持し、前記荷重方向に前記保持ロッドが移動したときに前記ロッドの保持を開放する係合保持部と、前記係合保持部に伝達される軸方向荷重を保持するボールネジ軸と、前記ボールネジ軸と嵌合し、前記ボールネジ軸に伝達されている軸方向荷重を回転方向の力に変換するボールネジナットと、を備え、前記ボールネジナットが回転したときに前記ボールネジ軸が荷重方向に移動することで前記係合保持部が分離して前記ロッドを開放するものである。
【発明の効果】
【００１５】
本発明によれば、低衝撃で宇宙用展開構造物の保持状態を運用状態に解放することができる。
【発明を実施するための最良の形態】
【００１６】
実施の形態１．
図１および図２は、本発明の実施の形態１を示す図である。
図１は低衝撃保持解放機構１が宇宙用展開構造物の被保持部１０１を保持している状態（保持状態）を示す側面図（断面図）であり、図２は被保持部１０１を解放した状態（解放状態）を示す側面図（断面図）である。
【００１７】
以下、図１について説明する。低衝撃保持解放機構１およびコニカルブッシュ１０２aは、固定部１００に取り付けられており、保持ロッドのキャッチャー１０３およびコニカルブッシュ１０２bは被保持部１０１に取り付けられている。
【００１８】
被保持部１０１は、コニカルブッシュ１０２a、１０２bを介して保持荷重により固定部１００に押し付けられて保持されている。保持荷重は、被保持部１０１に取り付けられたロッド支持部１０４を介して、保持ロッド２の一端（図１上方）をナット１０５およびばねホルダー１０６にて締結することにより、保持ロッド２の張力として付与される。解放時に保持ロッド２を引き抜くために、ばねホルダー１０６にはロッド引き抜きばね１０７、カバー１０８、緩衝材１０９が備えられている。
【００１９】
保持ロッド２のもう一端（図１下方）には、低衝撃保持解放機構１側で保持荷重を支持する係合部３が備えられ、係合部３は係合保持部４の例えば円錐状の係合溝５と係合することにより保持ロッド２の軸方向荷重（保持荷重）を支え拘束されている。
【００２０】
係合保持部４は、複数に分割された同一形状の扇形の係合保持部４から構成され、係合部３を半径方向から包み込むように保持している。複数の係合保持部４には、円錐状の係合溝５を介して軸方向荷重の分力が半径方向に作用するが、支持軸６の内円筒面により半径方向に支持拘束されているため、係合保持部４は一体形状に保持される。係合保持部４および支持軸６には、係合保持部４が被保持部１０１の方向（図１上方）に動作したとき、複数の係合保持部４の半径方向拘束を解くための解放溝７a、７bが備えられている。
【００２１】
一方、係合保持部４の受ける被保持部１０１の方向（図１上方）の軸方向荷重は、例えば円錐状支持面を備えた座面８により支持され、座面８に結合されたボールネジ軸９に伝達される。係合保持部４の被保持部１０１と反対方向（図１下方）の動作を係止するために、例えば円錐支持面を備えたシリンダ１０が支持軸６の内側に備えられている。
【００２２】
ボールネジ軸９の被保持部１０１の方向（図１上方）の軸方向動作の範囲を制限しその動作を停止させるために、ストッパ１１がハウジング１２aに備えられている。
【００２３】
ボールネジ軸９は、ボールネジ溝１３a、１３b、およびボール１４を介してボールネジナット１５とボールネジ嵌合しており、ボールネジ軸９に作用する軸方向荷重はそのままボールネジナット１５の軸方向荷重として伝達される。ボールネジナット１５に作用する軸方向荷重は、ボールネジナット１５の回転を支持するニードルスラストベアリング１６a、１６bを介してハウジング１２a、１２bにより支持される。
【００２４】
一方、軸方向荷重の分力としてボールネジ溝１３のリードに応じた小さな回転トルクが、ボールネジ軸９およびボールネジナット１５の双方に作用反作用の回転トルクとして作用する。
【００２５】
ボールネジ軸９に作用する回転トルクは、支持軸６の外表面およびボールネジ軸９の内表面に設けられたスプライン１７a、１７bを介してハウジング１２bにより支持される。ボールネジナット１５に作用する回転トルクは、ボールネジナット１５の一部に一箇所もしくは複数箇所設けられた解除係合溝１８とそれに係合する解除ピン１９およびハウジング１２bに設けられたピン穴２０により支持拘束されている。
【００２６】
解除機２１は、ハウジング１２bに取り付けられたカバー２２の中に解除ピン１９、固定ヨーク２３、可動子２４、コイル２５、および解除ピンばね２６を備えている。可動子２４は、解除ピン１９と係合するピン係合溝２７を備え、解除ピン１９と併せて解除ピンばね２６により、ボールネジナット１５の回転を拘束する位置に付勢、保持されている。
【００２７】
低衝撃保持解放機構１は以上のように構成されているので、ボールネジナット１５の回転を解除機２１で拘束することにより、結果として保持ロッド２の軸方向荷重を支持し、被保持部１０１は固定部１００に保持される。
【００２８】
ここで、ボールネジナット１５に作用する回転トルクは比較的小さなトルクであるため、その回転を拘束あるいは解除する手段も比較的小さな保持力および動作力を有するものでよい。この結果、従来方式のように大きな動作力を発生する火工品を用いる必要がなくなり、解放時の発生衝撃が低減できる。
【００２９】
一例として、ボールネジ溝１３のリードが2mmで、保持ロッド２の軸方向荷重が10,000Ｎの場合、ボールネジナット１５に作用する回転トルクは約3.2Ｎｍ程度であり、解除ピン１９が半径28mmのところに設けられているとすると、解除ピン１９で保持すべきボールネジナット１５の接線方向荷重の合計は、約114Ｎ程度である。すなわち、10,000Ｎの保持荷重を高々114Ｎ程度の荷重で支持できることになる。
【００３０】
約114Ｎ程度を保持する解除ピン１９を動作させるには、摺動部の摩擦係数や動作余裕マージンを考慮しても、約100Ｎ程度の動作力があれば十分であり、10,000Ｎ以上の動作力が得られるが発生衝撃の大きな火工品を用いる必要はなくなる。
【００３１】
次に、以下で解除機２１が動作し、保持ロッド２の拘束が解除され、被保持部１０１が固定部１００から解放されるまでの動作の詳細について、図１および図２を用いて説明する。
【００３２】
解除機２１は、外部装置（図示しない）からコイル２５への電圧／電流印加により、固定ヨーク２３および可動子２４の内部に磁気回路を生成し、可動子２４を（図１下方へ）動作させる磁気吸引力を発生させる。可動子２４は、解除ピン１９の接触各部に生ずる摩擦力や解除ピンばね２６の力に打ち勝って、ピン係合溝２７を介して解除ピン１９をピン穴２０に沿って（図１下方へ）動作させる。解除ピン１９の引き抜き動作により、解除係合溝１８との係合が外れ、ボールネジナット１５の回転拘束が解除される。
【００３３】
ボールネジナット１５には、保持力として保持ロッド２が支持する軸方向荷重の一部が変換された回転トルクが作用しているため、回転拘束の解除とともに回転動作を開始する。この回転動作は、ボールネジ溝１３、ボール１４、およびニードルスラストベアリング１６により支持され、ボールネジナット１５の回転慣性質量と回転トルクによって定まる回転加速度で加速される。
【００３４】
ボールネジナット１５の回転動作に伴い、ボールネジ溝１３とボール１４を介したボールネジ軸９の軸方向拘束が徐々に解除され、ボールネジ軸９は軸方向（図１上方）に移動する。これにより、座面８を介した係合保持部４の軸方向拘束が徐々に解除され、係合保持部４はボールネジ軸９とともに軸方向（図１上方）に移動する。
この係合保持部４の軸方向移動に伴い、保持荷重により軸方向に弾性変形している保持ロッド２の軸方向荷重は、徐々に除荷されていく。
【００３５】
さらに係合保持部４の軸方向移動が進むと、解放溝７a、７bが互いに嵌合を始め、係合保持部４の半径方向拘束を解除し始める。半径方向拘束の解除に伴い、保持ロッド２に作用するロッド引き抜きばね１０７の力もしくは残存する保持荷重が、係合溝５および座面８の例えば円錐状接触面からの半径方向荷重として複数の係合保持部４に作用し、それを半径方向に分割する。
【００３６】
保持ロッド２に作用する保持力は、この係合保持部４の軸方向移動および分割過程の中でゼロになり、解放溝７a、７bが互いに嵌合すると、保持ロッド２の先端の係合部３の拘束は完全に解除される。
【００３７】
係合部３の拘束が解除されると、ナット１０５およびばねホルダー１０６を介してロッド引き抜きばね１０７の力により、保持ロッド２はキャッチャー１０３の方向に引き抜かれる。引き抜かれた保持ロッド２は、緩衝材１０９により衝撃吸収されカバー１０８に押し付けられて保持される。
【００３８】
一方、ボールネジ軸９の移動およびボールネジナット１５の回転は、ストッパ１１により停止されるため、ボールネジ溝１３とボール１４のボールネジ嵌合は外れない。
【００３９】
低衝撃保持解放機構１は以上のように解放動作を行うので、被保持部１０１はコニカルブッシュ１０２aと１０２bの接触面で分離し、固定部１００から解放される。
【００４０】
ここで、ボールネジナット１５に作用する回転トルクは前述したように小さなトルクであるため、ボールネジナット１５の回転慣性質量の回転加速も比較的緩やかに行われる。 この結果、従来方式のように大きな動作力を発生する火工品で保持ロッドの保持力を直接的に短時間で除荷する場合と比較して、保持ロッド２の軸方向荷重の除荷過程は緩やかとなり、解放時の発生衝撃が低減できる。
【００４１】
一例として、火工品で保持ロッドを直接切断する従来方式の場合、保持荷重は約0.2ms程度の時間で除荷されるが、本発明の場合、約10msから30ms程度と十分長い時間をかけて保持荷重を除荷することができる。
【００４２】
また場合により、解放動作をより確実にするために解放付勢ばね２８を備えても良い。解放付勢ばね２８はシリンダ１０の内部に備えられ、保持係合部４およびボールネジ軸９に軸方向動作力を付与するとともに、ボールネジナット１５に回転動作力を付与する。これにより、仮に保持荷重やロッド引き抜きばね１０７による保持ロッド２に作用する軸方向荷重が、軌道上熱変形等何らかの理由により極端に低下しゼロになった場合でも、上記一連の解放動作を可能にする。
【００４３】
この場合、解除機２１によりボールネジナット１５の回転拘束が解除された後、解放付勢ばね２８の力だけでゆっくりではあるがボールネジナット１５を回転動作させ、ボールネジ軸９を軸方向動作させる。同時に座面８およびシリンダ１０の円錐状接触面を介して保持係合部４を分割し、保持ロッド２を解放する。
【００４４】
また場合により、解放時の発生衝撃をより確実に低減するために、ストッパ１１にストッパ緩衝機２９を備えても良い。
【００４５】
上記の解放動作過程において、保持ロッド２を始めとする低衝撃保持解放機構１の各部に蓄えられていた歪エネルギーは、各部の接触摺動による摩擦で熱に散逸するエネルギーを除いて、その大半がボールネジナット１５の回転運動エネルギーに変換される。機構の動作信頼性を確保するためには、動作時の内部摩擦損失をできるだけ小さくする必要があるため、摩擦熱で散逸するエネルギーは比較的少ない。
【００４６】
このため、保持ロッド２を解放した後もボールネジナット１５の回転運動エネルギーの多くは保存されており、ストッパ１１によりボールネジ軸９およびボールネジナット１５の動作が減速、停止（場合により反転）された場合、その変化速度によっては衝撃が発生する可能性がある。
【００４７】
ストッパ１１にストッパ緩衝機２９を備え、ボールネジナット１５の回転動作の変化を緩やかにするとともに、回転運動エネルギーを吸収し熱に散逸することにより、さらに発生衝撃を低減することが可能になる。
【００４８】
また場合により、解放時の発生衝撃をさらに低減するために、ボールネジ溝１３やニードルスラストベアリング１６の内部に粘性を有するグリスを充填する等、粘性減衰機能を付与しても良い。
【００４９】
これにより、低温時動作には注意が必要であるが、機構の動作信頼性を損なうことなく、ボールネジナット１５の回転加速はより抑制され、また回転運動エネルギーはより効率的に吸収される。結果として、保持ロッド２の軸方向荷重をより緩やかに変化させ、解放時発生衝撃をさらに低減することができる。
【００５０】
また場合により、保持ロッド２の装着性を向上するため、保持ロッド２と係合部３をネジ結合する構成としても良い。
【００５１】
低衝撃保持解放機構１単体であらかじめ係合部３を保持係合部４に係合させ、ボールネジナット１５に解除機２１をセットした後に、被保持部１０１とともに保持ロッド２を係合部３にネジ締結し、ナット１０５により保持荷重を付加することにより、保持ロッド２の装着性が向上する。
【００５２】
また場合により、保持ロッド２の装着性を向上するため、保持ロッド２先端の係合部３をネジとし、保持係合部４を分割ナットとする構成としてもよい。
【００５３】
低衝撃保持解放機構１単体であらかじめ分割ナットで構成された保持係合部４の分割を拘束する状態にし、ボールネジナット１５に解除機２１をセットした後に、被保持部１０１とともに保持ロッド２の先端の係合部３を分割ナットで構成された保持係合部４にネジ締結して保持荷重を付加することにより、保持ロッド２の装着性が向上する。
【００５４】
また場合により、解除機２１動作時に発生する衝撃をいっそう低減するために、固定ヨーク２３、可動子２４、コイル２５からなる電磁石式アクチュエータを、形状記憶合金式アクチュエータに置き換えても良い。
【００５５】
応答動作速度は遅くなるものの、外部からの電圧／電流印加によるヒータ加熱または形状記憶合金の直接通電過熱により、解除ピン１９の解除動作を比較的緩やかに行うため、解除機２１での発生衝撃がいっそう低減可能となる。
【００５６】
また場合により、解除機２１の動作信頼性をいっそう向上するために、固定ヨーク２３、可動子２４、コイル２５からなる電磁石式アクチュエータを、火工品に置き換えても良い。
【００５７】
解除動作時に発生する衝撃は一部高くなるが、解除機２１での火工品の動作は直接の保持荷重経路に関わるものではないため、解除機２１内での十分な緩衝処置が原理的に可能であり、本発明の解放動作時発生衝撃の低減という本来の目的を損なうことなく、動作信頼性の向上が可能となる。
【００５８】
本発明によれば、内部摩擦損失が少なくて効率が良く、大きな荷重負荷能力のある小さなリードのボールネジ軸とボールネジナットを用いて、ボールネジ軸に作用する軸方向荷重側からボールネジナットをバックドライブすることによって、荷重方向を軸方向から回転方向に変換するとともに、増速機能によりボールネジナットに作用する回転トルクを小さく変換することができる。
【００５９】
このため、ボールネジナットの回転拘束を解除した後は、ボールネジナットは大きな軸方向荷重から変換された小さな回転トルクにより緩やかに回転され、保持ロッドの軸方向荷重は従来方式に比較して緩やかに時間をかけて低減し、結果として解放動作時の発生衝撃を低く抑えられるという効果がある。
【００６０】
さらに、ボールネジナットに作用する回転トルクが小さく、その回転拘束および拘束解除に必要な力も小さくてすむため、大きな動作力を発生する火工品を使用しなくても解放動作が可能となり、更に発生衝撃の低減が可能となるという効果がある。
また、従来方式に比較して部品点数は増えるものの、内部摩擦損失の少ない高効率のボールネジを使用するため、保持解放機構の動作信頼性を維持できるという効果もある。
【図面の簡単な説明】
【００６１】
【図１】低衝撃保持解放機構が宇宙用展開構造物の被保持部を保持している状態（保持状態）を示す側面図（断面図）である。
【図２】被保持部を解放した状態（解放状態）を示す側面図（断面図）である。
【符号の説明】
【００６２】
１  低衝撃保持解放機構、２  保持ロッド、３  係合部、４  係合保持部、５  係合溝、６  支持軸、７  解放溝、８  座面、９  ボールネジ軸、  １０  シリンダ、１１  ストッパ、１２  ハウジング、１３  ボールネジ溝、１４  ボール、１５  ボールネジナット、１６  ニードルスラストベアリング、１７  スプライン、１８  解除係合溝、１９  解除ピン、２０  ピン穴、２１  解除機、２２  カバー、２３  固定ヨーク、２４  可動子、２５  コイル、２６  解除ピンばね、２７  ピン係合溝、２８  解放付勢ばね、２９  ストッパ緩衝機、１００  固定部、１０１  被保持部、１０２  コニカルブッシュ、１０３  キャッチャー、１０４  ロッド支持部、１０５  ナット、１０６  ばねホルダー、１０７  ロッド引き抜きばね、１０８  カバー、１０９  緩衝材。
【図１】
2006193019.tif 000003
【図２】
2006193019.tif 000004